(57)【要約】【課題】  構造を簡単化して製造コスト、組み立てコストを抑えることができ、また簡単な構造でありながら、デザインを多種多様化できる変形自在の装身具を提供する。【解決手段】  複数の単位体１でなる装飾部２と、この装飾部２を懸吊するための止め具３とで形成する。単位体１を連結部材４で回動自在に連結する。止め具３を装飾部２の任意の単位体１に通して取り付ける。単位体１は大きさを違えて形成する。各単位体１の周側面部に止め具３の挿通部５を形成する。連結部材４を、単位体１を正面から見て水平方向に沿って延びる一本の横軸状に形成する。装飾部２の変形時に、連結部材４を介して単位体１のなかで最大の単位体１の占有スペース内に残りの単位体１を回動して納まるよう形成する。【選択図】      図１
2015077355.tif 000002
【特許請求の範囲】
【請求項１】
複数の単位体でなる装飾部と、この装飾部を懸吊するための止め具とで形成され、上記の単位体は連結部材で回動自在に連結され、上記の止め具が装飾部の任意の単位体に通されて取り付けられ、上記の単位体が大きさを違えて形成され、各単位体の周側面部に上記の止め具の挿通部が形成され、上記の連結部材が単位体を正面から見て水平方向に沿って延びる一本の横軸状に形成され、上記の装飾部の変形時に、連結部材を介して単位体のなかで最大の単位体の占有スペース内に残りの単位体が回動されて納まるよう形成されていることを特徴とする変形自在の装身具。
【請求項２】
請求項１記載の変形自在の装身具であって、単位体の内、少なくとも２つの単位体が大きさを違えて枠形に形成され、この枠形の単位体の枠内スペースに、残りの単位体が回動されて納まるよう形成されていることを特徴とする変形自在の装身具。
【請求項３】
複数の単位体でなる装飾部と、この装飾部を懸吊するための止め具とで形成され、上記の単位体は連結部材で回動自在に連結され、上記の止め具が装飾部の任意の単位体に通されて取り付けられ、上記の装飾部の内、少なくとも３個の単位体が並列状に配置され、上記の連結部材が単位体を正面から見て水平方向に沿って延びる一本の横軸状に形成されていることを特徴とする変形自在の装身具。
【請求項４】
複数の単位体でなる装飾部と、この装飾部を懸吊するための止め具とで形成され、上記の単位体は連結部材で回動自在に連結され、上記の止め具が装飾部の任意の単位体に通されて取り付けられ、上記の単位体が正面から見て円形に形成され、上記の装飾部が懸吊時に左右対称状に形成され、上記の止め具の挿通部が単位体の直径線上に孔状に形成されていることを特徴とする変形自在の装身具。
【請求項５】
複数の単位体でなる装飾部を備え、上記の単位体は積層されると共に、縦軸を中心に夫々独立して回動自在に連結され、単位体同士の接合面に係止用の凹凸部が形成されていることを特徴とする変形自在の装身具。
【請求項６】
複数の単位体でなる装飾部と、この装飾部を懸吊するための止め具とで形成され、上記の単位体は連結部材で回動自在に連結され、上記の止め具が装飾部の任意の単位体に通されて取り付けられ、上記の単位体が大きさを違えて形成され、各単位体の周側面部に上記の止め具の挿通部が形成され、上記の連結部材が、単位体を正面から見て水平方向に沿って延びる横軸状部材と、この横軸状部材に一端が枢着されると共に、他端が横軸状部材を備えた一方の単位体と連結される他方の単位体に係合されて横軸状部材の軸心を中心に前後方向に回動する縦軸状部材とで形成され、上記の装飾部の変形時に、連結部材を介して単位体のなかで最大の単位体の占有スペース内に残りの単位体が回動されて納まるよう形成されていることを特徴とする変形自在の装身具。
【請求項７】
請求項６記載の変形自在の装身具であって、縦軸状部材の他端が、縦軸状部材の軸心を中心に他方の単位体を１８０度回転させて表裏を反転させるごとに、他方の単位体と係合可能に形成されていることを特徴とする変形自在の装身具。
【請求項８】
複数の単位体でなる装飾部と、この装飾部を懸吊するための止め具とで形成され、上記の単位体は連結部材で回動自在に連結され、上記の止め具が装飾部の任意の単位体に通されて取り付けられ、上記の単位体が大きさを違えて形成され、各単位体の周側面部に上記の止め具の挿通部が形成され、上記の連結部材が、一方の単位体の背面枠から後方に延ばされているピン状部材と、このピン状部材に一端が枢着されてピン状部材の軸心を中心に一方の単位体を正面から見て左右方向に回転する縦向き状部材と、この縦向き状部材のリング状の他端に輪通しされて一方の単位体と連結される他方の単位体に設けられている環状部材とで形成され、上記のリング状の他端の孔は一方の単位体の左右側に開口され、上記の装飾部の変形時に、連結部材を介して単位体のなかで最大の単位体の占有スペース内に残りの単位体が回動されて納まるよう形成されていることを特徴とする変形自在の装身具。
【請求項９】
複数の単位体でなる装飾部と、この装飾部を懸吊するための止め具とで形成され、上記の単位体は連結部材で回動自在に連結され、上記の止め具が装飾部の任意の単位体に通されて取り付けられ、上記の単位体が大きさを違えて形成され、各単位体の周側面部に上記の止め具の挿通部が形成され、上記の連結部材が、一方の単位体の周辺部に、前後方向に延びる軸心を中心に回転可能に枢着されているピン状体と、このピン状体の後端側に起立状に形成されている上孔に輪通しされて一方の単位体と連結される他方の単位体に設けられている環状体とで形成され、上記の上孔が一方の単位体の左右側に開口され、上記の装飾部の変形時に、連結部材を介して単位体のなかで最大の単位体の占有スペース内に残りの単位体が回動されて納まるよう形成されていることを特徴とする変形自在の装身具。
【発明の詳細な説明】
【技術分野】
【０００１】
本発明は、ペンダントヘッド、イヤリング、ブレスレット、ブローチ等の装身具に関し、更に詳しくはデザインを、例えばTPO（time、place、occasion）に合せて使用者が適宜変更できるよう形成した変形自在の装身具に関するものである。
【背景技術】
【０００２】
従来、この種の装身具としては、例えば特許文献１に記載されているものがある。この従来品は、一対のフレーム部材の一端同士が回転軸で連結され、他端同士が磁石で吸着可能に形成され、フレーム部材の内側に装飾部が設けられている。
【０００３】
そして、この従来品は、フレーム部材を磁石で吸着して閉じたときのデザインと、フレーム部材を反転させて開放したときのフレーム部材と装飾部のデザインとが異なるように形成しているものである。
【０００４】
従来品は、このように一対のフレーム部材、このフレーム部材の一端同士を連結するための回転軸、またフレーム部材の他端同士を吸着するための磁石、及びフレーム部材の内側の装飾部とで構成されるため、部品数が多かった。従って、従来品によると、部品コスト、組み立てコスト、各部品の微調整の手間暇が増加する、という問題点があった。
【０００５】
また従来品は、一対のフレーム部材の閉止状態と開放状態におけるデザインの２通りのパターンしか変化できなかった。従って、従来品の場合は、デザインの変化に多様性を欠く、という問題点があった。
【先行技術文献】
【特許文献】
【０００６】
【特許文献１】実用新案登録第３１１０６７９号公報
【発明の概要】
【発明が解決しようとする課題】
【０００７】
本発明は、このような従来品の問題点に鑑み、提案されたものである。
従って本発明の解決しようとする技術的課題は、TPO等に合せて使用者が自分でデザインを変更できる変形自在の装身具において、構造を簡単化して製造コスト、組み立てコストを抑えることができ、また簡単な構造でありながら、デザインを多種多様化して使い勝手が良くなるよう形成した変形自在の装身具を提供することにある。
【課題を解決するための手段】
【０００８】
本発明は、上記の課題を解決するため、次のような技術的手段を採る。
即ち本発明は、図１等に示されるように、複数の単位体１でなる装飾部２と、この装飾部２を懸吊するための止め具３とで形成され、上記の単位体１は連結部材４で回動自在に連結され、上記の止め具３が装飾部２の任意の単位体１に通されて取り付けられ、上記の単位体１が大きさを違えて形成され、各単位体１の周側面部に上記の止め具３の挿通部５が形成され、上記の連結部材４が単位体１を正面から見て水平方向に沿って延びる一本の横軸状に形成され、上記の装飾部２の変形時に、連結部材４を介して単位体１のなかで最大の単位体１の占有スペース内に残りの単位体１が回動されて納まるよう形成されていることを特徴とする（請求項１）。
【０００９】
ここで、最大の単位体１の占有スペース内に残りの単位体１が回動されて納まる、とは、具体的には最大の単位体１に残りの単位体１が重ね合わされたり、枠形の最大の単位体１の枠内に残りの単位体１が納まるように形成することで実現される。
【００１０】
而して、本発明は、単位体１の内、少なくとも２つの単位体１が大きさを違えて枠形に形成され、この枠形の単位体１の枠内スペースＳに、残りの単位体１が回動されて納まるよう形成されているのが好ましい（請求項２）。
なぜならこれによると、装飾部２の厚みを抑えることができ、また枠形の単位体１と協働して趣のあるデザインを形成できるからである。
【００１１】
また本発明の課題を達成する他の構成としては、図２５〜図３４に示されるように形成されているものがある。
【００１２】
即ち、この本発明は、複数の単位体１でなる装飾部２と、この装飾部２を懸吊するための止め具３とで形成され、上記の単位体１は連結部材４で回動自在に連結され、上記の止め具３が装飾部２の任意の単位体１に通されて取り付けられ、上記の装飾部２の内、少なくとも３個の単位体１が並列状に配置され、上記の連結部材４が単位体１を正面から見て水平方向に沿って延びる一本の横軸状に形成されていることを特徴とする（請求項３）。
【００１３】
また本発明の課題を達成する更に他の構成としては、図３５〜図３８に示されるように形成されているものがある。
【００１４】
即ち、この本発明は、複数の単位体１でなる装飾部２と、この装飾部２を懸吊するための止め具３とで形成され、上記の単位体１は連結部材４で回動自在に連結され、上記の止め具３が装飾部２の任意の単位体１に通されて取り付けられ、上記の単位体１が正面から見て円形に形成され、上記の装飾部２が懸吊時に左右対称状に形成され、上記の止め具３の挿通部５が単位体１の直径線上に孔状に形成されていることを特徴とする（請求項４）。
本発明の場合、単位体１は、例えば円板、円盤、球体に形成されることで実現される。
【００１５】
更に本発明の課題は、図３９〜図４１に示されるように形成されることによっても達成される。
【００１６】
即ち、この本発明は、複数の単位体１でなる装飾部２を備え、上記の単位体１は積層されると共に、縦軸Ｌを中心に夫々独立して回動自在に連結され、単位体１同士の接合面に係止用の凹凸部９が形成されていることを特徴とする（請求項５）。
【００１７】
更に本発明の課題は、図４２〜図４５に示されるように形成されることによっても達成される。
【００１８】
即ち、この本発明は、複数の単位体１でなる装飾部２と、この装飾部２を懸吊するための止め具３とで形成され、上記の単位体１は連結部材４で回動自在に連結され、上記の止め具３が装飾部２の任意の単位体１に通されて取り付けられ、上記の単位体１が大きさを違えて形成され、各単位体１の周側面部に上記の止め具３の挿通部５が形成され、上記の連結部材４が、単位体１を正面から見て水平方向に沿って延びる横軸状部材４ａと、この横軸状部材４ａに一端４ｂ１が枢着されると共に、他端４ｂ２が横軸状部材４ａを備えた一方の単位体１と連結される他方の単位体１に係合されて横軸状部材４ａの軸心を中心に前後方向に回動する縦軸状部材４ｂとで形成され、上記の装飾部２の変形時に、連結部材４を介して単位体１のなかで最大の単位体１の占有スペース内に残りの単位体１が回動されて納まるよう形成されていることを特徴とする（請求項６）。
【００１９】
またこの本発明の場合は、縦軸状部材４ｂの他端４ｂ２が、縦軸状部材４ｂの軸心Ｌ１を中心に他方の単位体１を１８０度回転させて表裏を反転させるごとに、他方の単位体１と係合可能に形成されているのが好ましい（請求項７）。
なぜならこれによると、他方の単位体１を表向き裏向きにする度に位置を一時的に固定でき、傾いた状態で懸吊することを防止できるからである。
【００２０】
更に本発明の課題は、図４６〜図５４に示されるように形成されることによっても達成される。
【００２１】
即ち、この本発明は、複数の単位体１でなる装飾部２と、この装飾部２を懸吊するための止め具３とで形成され、上記の単位体１は連結部材４で回動自在に連結され、上記の止め具３が装飾部２の任意の単位体１に通されて取り付けられ、上記の単位体１が大きさを違えて形成され、各単位体１の周側面部に上記の止め具３の挿通部５が形成され、上記の連結部材４が、一方の単位体１の背面枠から後方に延ばされているピン状部材４Ａと、このピン状部材４Ａに一端４Ｂ１が枢着されてピン状部材４Ａの軸心Ｌ２を中心に一方の単位体１を正面から見て左右方向に回転する縦向き状部材４Ｂと、この縦向き状部材４Ｂのリング状の他端４Ｂ２に輪通しされて一方の単位体１と連結される他方の単位体１に設けられている環状部材４Ｃとで形成され、上記のリング状の他端４Ｂ２の孔１１は一方の単位体１の左右側に開口され、上記の装飾部２の変形時に、連結部材４を介して単位体１のなかで最大の単位体１の占有スペース内に残りの単位体１が回動されて納まるよう形成されていることを特徴とする（請求項８）。
【００２２】
更に本発明の課題は、図５５、図５６に示されるように形成されることによっても達成される。
【００２３】
即ち、この本発明は、複数の単位体１でなる装飾部２と、この装飾部２を懸吊するための止め具３とで形成され、上記の単位体１は連結部材４で回動自在に連結され、上記の止め具３が装飾部２の任意の単位体１に通されて取り付けられ、上記の単位体１が大きさを違えて形成され、各単位体１の周側面部に上記の止め具３の挿通部５が形成され、上記の連結部材４が、一方の単位体１の周辺部に、前後方向に延びる軸心Ｌ３を中心に回転可能に枢着されているピン状体４１と、このピン状体４１の後端側に起立状に形成されている上孔４１ａに輪通しされて一方の単位体１と連結される他方の単位体１に設けられている環状体４２とで形成され、上記の上孔４１ａが一方の単位体１の左右側に開口され、上記の装飾部２の変形時に、連結部材４を介して単位体１のなかで最大の単位体１の占有スペース内に残りの単位体１が回動されて納まるよう形成されていることを特徴とする（請求項９）。
【発明の効果】
【００２４】
本発明は、このように構造が簡単で部品数も少ないから、これによれば、製造コスト、組み立てコストを抑えることができる。
また本発明は、連結部材を介して単位体を簡単な操作で様々の状態に変更できる。
従って、これによれば、装飾部のデザインを、単純なデザインから複雑なデザインまで、高級品のイメージから低価格品のイメージまで、また伝統的で正統なデザインからカジュアルで遊び心のあるデザインまで、多種多様化でき、使い勝手が極めて良くなるものである。
【図面の簡単な説明】
【００２５】
【図１】本発明の装身具の好適な一実施形態を示し、Ａは連結部材を介して単位体が上下に連結されているときの正面図、Ｂは側面図、Cは下側の単位体を上側の単位体の枠内スペースに納めたときの正面図である。
【図２】本発明装身具の他のデザインを示し、Ａは正面図、Ｂは側面図である。
【図３】本発明装身具の他のデザインを示す正面図である。
【図４】本発明装身具の他のデザインを示す斜視図である。
【図５】Ａは図４のデザインの正面図、Ｂは側面図である。
【図６】Ａは図４のデザインの他の吊下げ形態を示す正面図、Ｂは側面図である。
【図７】図４のデザインの他の吊下げ形態を示す正面図である。
【図８】Ａは図７の側面図、Ｂは図７のＶＩＩＩＢ−ＶＩＩＩＢ線の断面図である。
【図９】Ａは単位体が３個でなる本発明品を示し、Ａは連結部材を介して単位体が上下に連結されているときの正面図、Ｂは側面図である。
【図１０】Ａは図９Ａの背面図、Ｂは図９ＡのＸＢ−ＸＢ線の断面図である。
【図１１】Ａは図９Ａのデザインの他の吊下げ形態を示す正面図、Ｂは側面図である。
【図１２】Ａは図１１Ａの背面図、Ｂは図１１ＡのＸＩIＢ−ＸＩIＢ線の断面図である。
【図１３】図９の本発明品の他の吊下げ形態を示し、Ａは正面図、Ｂは側面図である。
【図１４】Ａは図１３Ａの背面図、Ｂは図１３ＡのＸＩＶＢ−ＸＩＶＢ線の断面図である。
【図１５】図９の本発明品の他の吊下げ形態を示し、Ａは正面図、Ｂは側面図である。
【図１６】Ａは図１５Ａの背面図、Ｂは図１５ＡのＸＶＩＢ−ＸＶＩＢ線の断面図である。
【図１７】図９の本発明品の他の吊下げ形態を示し、Ａは正面図、Ｂは側面図である。
【図１８】Ａは図１７Ａの背面図、Ｂは図１７ＡのＸＶＩＩＩＢ−ＸＶＩＩＩＢ線の断面図である。
【図１９】Ａは単位体が３個でなる本発明品を示し、Ａは連結部材を介して単位体が上下に連結されているときの正面図、Ｂは側面図である。
【図２０】Ａは図１９Ａの背面図、Ｂは図１９ＡのＸＸＢ−ＸＸＢ線の断面図である。
【図２１】図１９の本発明品の他の吊下げ形態を示し、Ａは正面図、Ｂは側面図である。
【図２２】Ａは図２１Ａの背面図、Ｂは図２１ＡのＸＸＩＩＢ−ＸＸＩＩＢ線の断面図である。
【図２３】単位体が３個でなる本発明品の他のデザインを示し、Ａは連結部材を介して単位体が上下に連結されているときの正面図、ＢはＡのＢ−Ｂ線断面図である。
【図２４】単位体が３個でなる本発明品の更に他のデザインを示し、Ａは連結部材を介して単位体が上下に連結されているときの正面図、ＢはＡのＢ−Ｂ線断面図である。
【図２５】単位体が５個でなる本発明品の更に他のデザインを示し、Ａは正面図、Ｂは側面図である。
【図２６】図２５の本発明品の単位体の断面図である。
【図２７】図２５の本発明品の他の吊下げ形態を示し、Ａは正面図、Ｂは側面図である。
【図２８】図２５の本発明品の更に他の吊下げ形態を示し、Ａは正面図、Ｂは側面図である。
【図２９】Ａは単位体が３個でなる本発明品の更に他のデザインを示し、Ａは正面図、Ｂは側面図である。
【図３０】図２９の本発明品の他の吊下げ形態を示し、Ａは正面図、Ｂは側面図である。
【図３１】図２９の本発明品の他の吊下げ形態を示し、Ａは正面図、Ｂは側面図である。
【図３２】図２９の本発明品の他の吊下げ形態を示し、Ａは正面図、Ｂは側面図である。
【図３３】図２９の本発明品の他の吊下げ形態を示し、Ａは正面図、Ｂは側面図である。
【図３４】図２９の本発明品の更に他の吊下げ形態を示し、Ａは正面図、Ｂは側面図である。
【図３５】単位体が球形で５個の本発明品の他のデザインを示し、Ａは正面図、Ｂは側面図である。
【図３６】図３５の本発明品の他の吊下げ形態を示し、Ａは正面図、Ｂは側面図である。
【図３７】図３５の本発明品の他の吊下げ形態を示し、Ａは正面図、Ｂは側面図である。
【図３８】図３５の本発明品の更に他の吊下げ形態を示し、Ａは正面図、Ｂは側面図である。
【図３９】本発明品の更に他の構成を示し、Ａは正面図、ＢはＡのＢ−Ｂ線断面図、Ｃは他のデザインの正面図である。
【図４０】図３９の本発明品の他のデザインを示し、Ａ〜Ｃとも正面図である。
【図４１】図３９の本発明品の更に他のデザインを示し、Ａは正面図、Ｂは平面図である。
【図４２】本発明装身具の他のデザインを示し、Ａは正面図、Ｂは側面図である。
【図４３】Ａは図４２Ａの背面図、Ｂは図４２ＡのＩＶＩＩＩＢ−ＩＶＩＩＩＢ線の断面図である。
【図４４】Ａは図４２の本発明品の要部断面図、Ｂは作用を説明するための要部断面図である。
【図４５】Ａは図４２の本発明品の要部平面図、Ｂは要部斜視図である。
【図４６】本発明装身具の他のデザインを示し、Ａは正面図、Ｂは側面図である。
【図４７】Ａは図４６Ａの背面図、Ｂは図４６ＡのＩＶＶＩＩＢ−ＩＶＩＩＩＢ線の断面図である。
【図４８】Ａは図４６の本発明品の要部背面図、Ｂは要部側面図、Ｃは要部断面図である。
【図４９】図４６の本発明品の作用を説明するための要部側面図である。
【図５０】図４６の本発明品の作用を説明するための要部側面図である。
【図５１】図４６の本発明品の作用を説明するための要部側面図である。
【図５２】図４６の本発明品の作用を説明するための要部側面図である。
【図５３】図４６の本発明品の作用を説明するための要部側面図である。
【図５４】図４６の本発明品の作用を説明するための要部側面図である。
【図５５】本発明装身具の更に他のデザインを示し、Ａは正面図、Ｂは縦断面図である。
【図５６】Ａは図５５Ａの要部背面図、Ｂは要部側面図である。
【発明を実施するための形態】
【００２６】
以下、本発明を実施するための好適な一実施形態を説明する。
本発明は、複数の単位体１でなる装飾部２と、この装飾部２を懸吊するための、例えばチェーン状の止め具３とで形成されている。
【００２７】
上記の単位体１は、連結部材４で回動自在に連結されている。連結部材４は、単位体１を正面から見て水平方向に沿って延びる一本の横軸状に形成されている。
【００２８】
単位体１は、大きさを違えて形成されている。この実施形態の場合、装飾部２は２個の単位体１で形成され、単位体１の内、一方の単位体１が枠形に形成されている。
【００２９】
また本発明は、各単位体１の周側面部に、上記の止め具３の挿通部５が形成されている。挿通部５は、周方向に沿って延びるスリットで形成されている。止め具３は、装飾部２の任意の単位体１に、挿通部５を介して通されて取り付けられている。
【００３０】
なお、この実施形態の本発明品は、単位体１の周辺部に小粒ダイヤモンド等の宝石６が散りばめられている。また図１Ａにおいて、下側の単位体１は、内側に大粒のダイヤモンド７を備えて形成されている。大粒のダイヤモンド７は、表と裏でカットが違えられている（図１Ａ、Ｃ参照）。
【００３１】
また本発明品は、装飾部２の変形時に、連結部材４を介して単位体１の中で最大の単位体１の占有スペース内に残りの単位体１が回動されて納まるよう形成されている。具体的には、図１Ａにおいて、上側の枠形の単位体１の枠内スペースＳに、下側の単位体１が回動されて納まるよう形成されている。
【００３２】
次に、本発明品の吊下げ形態を、図面に従って説明する。
図１は、単位体１を上下に連結し、枠形の一方の単位体１の挿通部５に止め具３を通して使用する場合である。同図Ｃは、下側の単位体１を、連結部材４を介して回して上側の単位体１の枠内に納め、各単位体１の挿通部５に止め具３を通して使用する例である。
【００３３】
図２は、枠形の一方の単位体１を下にして単位体１を上下に連結し、上側の単位体１の挿通部５に止め具３を通して使用する場合である。図３は、図１Ｃの状態で上下を逆さにして吊下げる例である。
【００３４】
図４は、単位体１のデザインを違えた例である。本発明は、この実施形態に示されるように、単位体１のデザイン、組み合わせは自由である。図５〜図８の形態は、図４に示される本発明品の吊下げ状態の具体例である。
【００３５】
以上の処において、上記の装飾部２は、２個の単位体１で形成される場合には限られず、図９に示されるように、例えば３個で形成されているのでも良い。この実施形態では、装飾部２が、大きさを違えた２個の枠形の単位体１と、小さい方の枠形の単位体１の中に回動時に納められる３番目の単位体１（図９Ａにおいて上側の単位体１）とで形成されている。またこの実施形態の場合、小さい方の枠形の単位体１は、大きい方の枠形の単位体１の中に、内装状に収納可能に形成されている。
【００３６】
各単位体１は、この実施形態では裏側で連結部材４を介して回動可能に形成されている（図１０Ａ参照）。図１１〜図２２の形態は、図９に示される本発明品の吊下げパターンを示したものである。
【００３７】
また図２３に示される実施形態は、３番目の単位体１（図２３Ａにおいて上側の中央の単位体１を参照）が球形に形成され、その直径線上に止め具３の挿通部５が形成されている例である。また図２４に示される実施形態は、３番目の球形の単位体１の挿通部５が、横向きの連結部材４に枢着されている縦棒の開放端（図面上の上端）に形成されている例である。
【００３８】
次に、本発明の課題を達成する他の構成を、図２５〜図３４に従って説明する。上例と同一箇所、同一部材には同一の番号を付し、詳しい説明は省略する。
【００３９】
この本発明は、複数の単位体１でなる装飾部２と、この装飾部２を懸吊するための、例えばチェーン状の止め具３とで形成されている。装飾部２は、この実施形態では５本の棒状の単位体１で形成され、最も長い単位体１を１本、それより短い単位体１を同じ長さで２本、最も短い単位体１を同じ長さで２本備え、懸吊時に左右対称状になるよう並列状（横並び状）に配置されて形成されている。
【００４０】
単位体１は、一端側に止め具３の挿通部５としての孔が形成され、他端側に連結部材４としての軸の挿通孔８が形成されている。単位体１は、連結部材４で回動自在に連結され、上記の止め具３は装飾部２の任意の単位体１の孔に通されて取り付けられる。
【００４１】
上記の連結部材４は、単位体１を正面から見て水平方向に沿って延びる一本の横軸状に形成されている。
【００４２】
而して、この本発明品の吊下げパターンとしては、最長の単位体１を真中にし、その上部の挿通部５に止め具３を通して懸吊したり（図２５Ａ参照）、図２７に示されるように、単位体１を横並びさせたり、図２８に示されるように、左右の同じ長さの２本の単位体１を連結部材４を介して上向きに回し、その上部の挿通部５に止め具３を通して懸吊する例がある。なお、図２７の実施形態の場合は、連結部材４が、パイプ状に形成され、単位体１の枢着機能と、止め具３の挿通部５としての機能を持つよう形成されている。
【００４３】
以上の処において、単位体１の形状は自由であり、例えば略Ｖ字形（図２９参照）等に形成されるのでも良い。装飾部２が、略Ｖ字形の単位体１と、棒形の単位体１を備える場合の吊下げ形態としては、例えば図２９〜図３４の例がある。この内、図３１の実施形態の連結部材４は、パイプ状に形成され、単位体１の枢着機能と、止め具３の挿通機能とを備えている。
【００４４】
また本発明の課題を達成する更に他の構成を、図３５〜図３８に従って説明する。上例と同一箇所、同一部材には同一の番号を付し、詳しい説明は省略する。
【００４５】
即ち、この本発明は、複数の単位体１でなる装飾部２と、この装飾部２を懸吊するための、例えばチェーン状の止め具３とで形成されている。装飾部２は懸吊時に左右対称状に形成されている。また上記の止め具３は、装飾部２の任意の単位体１に通されて取り付けられている。
【００４６】
上記の単位体１は連結部材４で回動自在に連結されている。この実施形態の場合、連結部材４はその両端部が単位体１の球面に密着するよう緩やかなＳ字カーブを描くよう形成されている。連結部材４の両端部は、単位体１に枢着されている。
【００４７】
上記の単位体１は、正面から見て円形に形成されている。この実施形態の場合、単位体１は、球形に形成され、５個の単位体１で装飾部２が形成されている。
止め具３が通される挿通部５は、単位体１の直径線上に孔状に形成されている。
【００４８】
この本発明は、単位体１への止め具３の通し方を変えることにより、図３５〜図３８に示されるような吊下げ形態を採ることができる。従って、上例の場合と同様、ＴＰＯや服装等に合わせてデザインを変更でき、使い勝手が良くなるものである。
【００４９】
更に本発明の課題を達成する他の構成を、図３９〜図４１に従って説明する。上例と同一箇所、同一部材には同一の番号を付し、詳しい説明は省略する。
【００５０】
この本発明は、複数の単位体１でなる装飾部２を備えて形成されている。図３９に示される本発明品は、複数の単位体１が積層されて装飾部２が球形に形成されている。単位体１は、例えば外面に模様が施されている。
なお、この実施形態では、装飾部２を懸吊するための、例えばチェーン状の止め具３を有して形成されているが、本発明品は止め具３と組み合わされて形成される場合には限られない。
【００５１】
そして、単位体１は、縦軸Ｌを中心に夫々独立して回動自在に連結され、単位体１同士の接合面に、係止用の凹凸部９が複数形成されている。この凹凸部９は、この実施形態では一方の単位体１に設けられている半球凹湾曲状の凹部９ａと、この凹部９ａに対応する他方の単位体１の位置に設けられている半球状の凸部９ｂとで形成されている。
【００５２】
この本発明品の場合は、使用者が任意の単位体１を回し、凸部９ｂと凹部９ａを係合させて単位体１を係止させることでデザインを変更する。なお、本発明の場合、縦軸Ｌを構成する部材は、１本の硬質の棒状材には限られず、例えばチェーン等のような屈曲材でも良い。
【００５３】
以上の処において、単位体１は、図３９Ｃに示されるように、接合面が波形になるよう形成されているのでも良い。この場合は、単位体１を密着させるバネ（図示せず）を内蔵し、このバネの弾発力に抗して単位体１を回して使用する。
【００５４】
また本発明の場合、単位体１は、図４０に示されるように、正面から見て円弧状に形成されたり、図４１に示されるように、横棒状に形成されているのでも良い。この本発明品の場合は、各単位体１を、縦軸Ｌを中心に回し、凸部９ｂと凹部９ａを係合させて係止することで、例えば図４０Ａ〜Ｃ、図４１Ｂに示されるように、デザインを多種多様に変化させることができる。
【００５５】
次に、請求項６に係る本発明の好適な一実施形態を、図４２〜図４５に従って説明する。上例と同一箇所、同一部材には同一の番号を付し、詳しい説明は省略する。
【００５６】
この本発明は、複数の単位体１でなる装飾部２と、この装飾部２を懸吊するための止め具３とで形成されている。上記の単位体１は連結部材４で回動自在に連結されている。また上記の止め具３は、装飾部２の任意の単位体１に通されて取り付けられている。また上記の単位体１は、大きさを違えて形成され、各単位体１の周側面部に上記の止め具３の挿通部５が形成されている。
【００５７】
而して、この本発明の場合、上記の連結部材４は、単位体１を正面から見て水平方向に沿って延びる横軸状部材４ａと、この横軸状部材４ａに一端４ｂ１が枢着されると共に、他端４ｂ２が横軸状部材４ａを備えた一方の単位体１と連結される他方の単位体１に係合されて横軸状部材４ａの軸心を中心に前後方向に回動する縦軸状部材４ｂとで形成されている。
【００５８】
この実施形態の場合、縦軸状部材４ｂの他端４ｂ２は、縦軸状部材４ｂの軸心Ｌ１（図４４参照）を中心に他方の単位体１を１８０度回転させて表裏を反転させるごとに、他方の単位体１と係合可能に形成されている。具体的には、縦軸状部材４ｂの他端４ｂ２が、図４５に示されるように、楕円形（長円形）の上端面４ｂ３に向かってテーパー状に形成され、この他端４ｂ２と係合する凹孔１０が他方の単位体１の枠状部１ａに形成されることで実現されている。
【００５９】
そして本発明は、上記の装飾部２の変形時に、連結部材４を介して単位体１のなかで最大の単位体１の占有スペース内に残りの単位体１が回動されて納まるよう形成されている。
【００６０】
次に、この本発明の使用例を説明する。
先ず使用者は、図４４Ｂに示されるように、図面上で上側の他方の単位体１を、下側の一方の単位体１に近づけて縦軸状部材４ｂの他端４ｂ２と凹孔１０との係合を解く。
【００６１】
次に使用者は、図４５Ａに示されるように他方の単位体１を、この実施形態では縦軸状部材４ｂの軸心Ｌ１を中心に１８０度回転させて表裏を反転させ、上に少し持ち上げる。これにより、縦軸状部材４ｂの他端４ｂ２と凹孔１０とが再係合され、他方の単位体１の裏側が表向きに配置され、デザインが変化する。
【００６２】
次に、請求項８に係る本発明の好適な一実施形態を、図４６〜図５４に従って説明する。上例と同一箇所、同一部材には同一の番号を付し、詳しい説明は省略する。
【００６３】
この本発明は、複数の単位体１でなる装飾部２と、この装飾部２を懸吊するための止め具３とで形成されている。上記の単位体１は連結部材４で回動自在に連結されている。また上記の止め具３が装飾部２の任意の単位体１に通されて取り付けられている。上記の単位体１は、大きさを違えて形成され、各単位体１の周側面部に上記の止め具３の挿通部５が形成されている。
【００６４】
上記の連結部材４は、一方の単位体１の背面枠から後方に延ばされているピン状部材４Ａと、このピン状部材４Ａに一端４Ｂ１が枢着されてピン状部材４Ａの軸心Ｌ２（図４８参照）を中心に一方の単位体１を正面から見て左右方向に回転する縦向き状部材４Ｂと、この縦向き状部材４Ｂのリング状の他端４Ｂ２に輪通しされて一方の単位体１と連結される他方の単位体１に設けられている環状部材４Ｃとで形成されている。上記のリング状の他端４Ｂ２の孔１１は、一方の単位体１の左右側に開口されている。
【００６５】
そして本発明は、上記の装飾部２の変形時に、連結部材４を介して単位体１のなかで最大の単位体１の占有スペース内に残りの単位体１が回動されて納まるよう形成されている。
【００６６】
次に、この本発明の使用例を説明する。
先ず使用者は、図４９、図５０に示されるように、図面上で上側の他方の単位体１を、後側（図面上は右側）に倒す。次に使用者は、図５１、図５２に示されるように他方の単位体１を、縦向き状部材４Ｂと一緒に下側の一方の単位体１を正面から見て右側から下方（図面上は手前側から下方）に回す。これにより、大粒のダイヤモンド７は下向きに配置される。
【００６７】
次に使用者は、図５３に示されるように他方の単位体１を、図面上、矢示のように左側に回し、一方の単位体１の枠内スペースＳ（図４６Ａ参照）に納める（図５４参照）。これにより、大粒のダイヤモンド７が一方の単位体１の枠内スペースＳに配置されたデザインに変化する。
【００６８】
次に、請求項９に係る本発明の好適な一実施形態を、図５５、図５６に従って説明する。上例と同一箇所、同一部材には同一の番号を付し、詳しい説明は省略する。
【００６９】
この本発明は、複数の単位体１でなる装飾部２と、この装飾部２を懸吊するための止め具３とで形成されている。上記の単位体１は、連結部材４で回動自在に連結されている。上記の止め具３は、装飾部２の任意の単位体１に通されて取り付けられ、上記の単位体１は大きさを違えて形成されている。そして本発明は、各単位体１の周側面部に、上記の止め具３の挿通部５が形成されている。
【００７０】
上記の連結部材４は、一方の単位体１の周辺部に、前後方向に延びる軸心Ｌ３（図５６Ｂ参照）を中心に回転可能に枢着されているピン状体４１と、このピン状体４１の後端側に起立状に形成されている上孔４１ａに輪通しされて一方の単位体１と連結される他方の単位体１に設けられている環状体４２とで形成されている。
上記の上孔４１ａは、一方の単位体１の左右側に開口されている。
【００７１】
そして本発明は、上記の装飾部２の変形時に、連結部材４を介して単位体１のなかで最大の単位体１の占有スペース内に残りの単位体１が回動されて納まるよう形成されている。
【００７２】
次に、この本発明の使用例を説明する。
先ず使用者は、図５６Ｂにおいて、上側の他方の単位体１を後側（図面上は右側）に倒し、次にピン状体４１と一緒に、軸心Ｌ３を中心に、下側の一方の単位体１を正面から見て右側から下方（図面上は手前側から下方）に回す。そして他方の単位体１を下側の一方の単位体１の枠内スペースＳ（図５５Ａ参照）に配置する。
【００７３】
これにより、大粒のダイヤモンド７が一方の単位体１の中に配置される。この本発明の場合、上側の他方の単位体１の動作は、図４６に示される本発明品の動作（図４９〜図５４参照）と同様である。
【符号の説明】
【００７４】
１      単位体
２      装飾部
３      止め具
４      連結部材
５      挿通部
【図１】
2015077355.tif 000003
【図２】
2015077355.tif 000004
【図３】
2015077355.tif 000005
【図４】
2015077355.tif 000006
【図５】
2015077355.tif 000007
【図６】
2015077355.tif 000008
【図７】
2015077355.tif 000009
【図８】
2015077355.tif 000010
【図９】
2015077355.tif 000011
【図１０】
2015077355.tif 000012
【図１１】
2015077355.tif 000013
【図１２】
2015077355.tif 000014
【図１３】
2015077355.tif 000015
【図１４】
2015077355.tif 000016
【図１５】
2015077355.tif 000017
【図１６】
2015077355.tif 000018
【図１７】
2015077355.tif 000019
【図１８】
2015077355.tif 000020
【図１９】
2015077355.tif 000021
【図２０】
2015077355.tif 000022
【図２１】
2015077355.tif 000023
【図２２】
2015077355.tif 000024
【図２３】
2015077355.tif 000025
【図２４】
2015077355.tif 000026
【図２５】
2015077355.tif 000027
【図２６】
2015077355.tif 000028
【図２７】
2015077355.tif 000029
【図２８】
2015077355.tif 000030
【図２９】
2015077355.tif 000031
【図３０】
2015077355.tif 000032
【図３１】
2015077355.tif 000033
【図３２】
2015077355.tif 000034
【図３３】
2015077355.tif 000035
【図３４】
2015077355.tif 000036
【図３５】
2015077355.tif 000037
【図３６】
2015077355.tif 000038
【図３７】
2015077355.tif 000039
【図３８】
2015077355.tif 000040
【図３９】
2015077355.tif 000041
【図４０】
2015077355.tif 000042
【図４１】
2015077355.tif 000043
【図４２】
2015077355.tif 000044
【図４３】
2015077355.tif 000045
【図４４】
2015077355.tif 000046
【図４５】
2015077355.tif 000047
【図４６】
2015077355.tif 000048
【図４７】
2015077355.tif 000049
【図４８】
2015077355.tif 000050
【図４９】
2015077355.tif 000051
【図５０】
2015077355.tif 000052
【図５１】
2015077355.tif 000053
【図５２】
2015077355.tif 000054
【図５３】
2015077355.tif 000055
【図５４】
2015077355.tif 000056
【図５５】
2015077355.tif 000057
【図５６】
2015077355.tif 000058